(57)【要約】【課題】物品を一定した姿勢で帯体に順次貼付することができ、かつ、貼付された物品の姿勢を揃えて排出することができるストリップパック装置を提供する。さらに、物品の帯体への貼付ミスを防止する。【解決手段】貼付ユニットの下流側に配置されて、貼付された袋Ｘより先にテープＴに貼付された袋Ｘ，Ｘの姿勢を規制する受け台１３が備えられている。そして、受け台１３の上流側の第１受け面１３１より落し込まれて設けられた下流側の落し込み部Ｄは、第２受け面１３２と左右の側面部１３４と左右のガイド面１３５とで構成されている。【選択図】図６
2009096497.tif 000002
【特許請求の範囲】
【請求項１】
物品の端部を貼付手段により帯体に貼付するストリップパック装置であって、
前記貼付手段の下流側に配置されて、貼付された一の物品より先に帯体に貼付された他の物品の姿勢を規制する姿勢規制手段が備えられていることを特徴とするストリップパック装置。
【請求項２】
前記請求項１に記載のストリップパック装置において、
前記姿勢規制手段は、前記他の物品の横方向の姿勢を規制する側面部を有することを特徴とするストリップパック装置。
【請求項３】
前記請求項１または請求項２に記載のストリップパック装置において、
前記姿勢規制手段は、前記貼付手段に連続させて備えられ、前記一の物品を受ける受け面を有することを特徴とするストリップパック装置。
【請求項４】
前記請求項３に記載のストリップパック装置において、
前記受け面は、前記一の物品の横方向の姿勢を規制する側面部を有することを特徴とするストリップパック装置。
【請求項５】
前記請求項３または請求項４に記載のストリップパック装置において、
前記姿勢規制手段は、前記受け面の下流側に、前記他の物品を落し込む落し込み部を有することを特徴とするストリップパック装置。
【請求項６】
前記請求項５に記載のストリップパック装置において、
前記落し込み部は、受け面を有することを特徴とするストリップパック装置。
【請求項７】
前記請求項６に記載のストリップパック装置において、
前記落し込み部は、前記受け面とその両側の側面部とを有し、該受け面と側面部との間に、前記他の物品を前記受け面の中央部にガイドするガイド面を有することを特徴とするストリップパック装置。
【発明の詳細な説明】
【技術分野】
【０００１】
本発明は、複数の物品が帯体に貼付されて吊下げ状態で陳列されるストリップパックと称される商品を製造するストリップパック装置に関し、物品包装機械の技術分野に属する。
【背景技術】
【０００２】
スナック菓子等を袋に充填した物品を帯体に複数個並べて貼付し、これを吊下げて陳列するストリップパックと称される商品が知られている。このストリップパックは、陳列の省スペース化を図ることができるので、例えば店舗内の通路等に陳列すれば消費者の目に付き易くなり、販売促進につながる利点がある。
【０００３】
このようなストリップパックを製造するストリップパック装置として、例えば特許文献１に開示の装置は、水平方向に供給された物品の端部を把持して貼付位置まで移動させ、この物品の前記端部を貼付手段により帯体に貼付するように構成されている。そして、帯体に物品が貼付されてなるストリップパックは、貼付手段の下流側に連設されたシュート状の受け台を介してさらに下流側に排出されるようになっている。その場合の受け台は、帯体に貼付された複数の物品を支持可能な比較的長さが長いもので、斜め下方に傾斜する板状とされている。
【０００４】
また、特許文献２に開示の装置は、上方から供給された物品の端部を把持して貼付位置まで移動させ、この物品の前記端部を貼付手段により帯体に貼付するように構成されている。そして、得られたストリップパックは、貼付手段の下流側に連設されたシュート状の保持プレートを介してさらに下流側に排出されるようになっている。その場合の保持プレートは、貼付直後の物品を支持する比較的長さが短いもので、斜め下方に傾斜する受け面と、この受け面の両側から起立する側面部とを有している。
【０００５】
【特許文献１】特開２００７−１１２５０２号公報
【特許文献２】特許第３６０２５２７号公報
【発明の開示】
【発明が解決しようとする課題】
【０００６】
ところで、前記特許文献１、２に記載のストリップパック装置では、以下のような問題が生じることがある。すなわち、物品が帯体に順次貼付されて行くと、例えば特許文献１の図２や特許文献２の図４を参照すれば容易に理解されるように、貼付された物品より先に帯体に貼付された物品が、不用意に左右に移動したりねじれたりして姿勢が変動することがある。その場合、物品の姿勢の変動に伴って帯体の姿勢も変動するため、上流側では、この帯体と新たに貼付されようとしている物品との位置関係がずれるという問題が生じる。一方、下流側では、物品の姿勢の乱れたストリップパックが排出されることになるので、このストリップパックを、例えば下流側に連設された排出コンベア等へスムーズに受け渡すことができなくなるという問題が生じる。
【０００７】
さらに、物品が帯体に順次貼付されて行くと、例えば特許文献１の図２を参照すれば容易に理解されるように、受け台の傾斜度合いと物品の膨らみ方との関係から、先に帯体に貼付された物品により後続して帯体に貼付された物品が順次持ち上げられることがある。この現象が著しいと、持ち上げられた物品が新たに帯体に貼付されようとしている物品に干渉する結果、この新たな物品が貼付手段に対して適正に位置決めされなくなって、貼付ミスという問題が生じることがある。
【０００８】
そこで、本発明は、物品を一定した姿勢で帯体に順次貼付することができ、かつ、貼付された物品の姿勢を揃えて排出することができるストリップパック装置を提供することを課題とする。さらに、物品の帯体への貼付ミスを防止することも課題とする。
【課題を解決するための手段】
【０００９】
前記課題を解決するため、本発明は次のように構成したことを特徴とする。
【００１０】
まず、請求項１に記載の発明は、物品の端部を貼付手段により帯体に貼付するストリップパック装置であって、前記貼付手段の下流側に配置されて、貼付された一の物品より先に帯体に貼付された他の物品の姿勢を規制する姿勢規制手段が備えられていることを特徴とする。
【００１１】
次に、請求項２に記載の発明は、前記請求項１に記載のストリップパック装置において、前記姿勢規制手段は、前記他の物品の横方向の姿勢を規制する側面部を有することを特徴とする。
【００１２】
また、請求項３に記載の発明は、前記請求項１または請求項２に記載のストリップパック装置において、前記姿勢規制手段は、前記貼付手段に連続させて備えられ、前記一の物品を受ける受け面を有することを特徴とする。
【００１３】
また、請求項４に記載の発明は、前記請求項３に記載のストリップパック装置において、前記受け面は、前記一の物品の横方向の姿勢を規制する側面部を有することを特徴とする。
【００１４】
また、請求項５に記載の発明は、前記請求項３または請求項４に記載のストリップパック装置において、前記姿勢規制手段は、前記受け面の下流側に、前記他の物品を落し込む落し込み部を有することを特徴とする。
【００１５】
また、請求項６に記載の発明は、前記請求項５に記載のストリップパック装置において、前記落し込み部は、受け面を有することを特徴とする。
【００１６】
そして、請求項７に記載の発明は、前記請求項６に記載のストリップパック装置において、前記落し込み部は、前記受け面とその両側の側面部とを有し、該受け面と側面部との間に、前記他の物品を前記受け面の中央部にガイドするガイド面を有することを特徴とする。
【発明の効果】
【００１７】
まず、請求項１に記載の発明によれば、貼付手段の下流側に、貼付された一の物品より先に帯体に貼付された他の物品の姿勢を規制する姿勢規制手段が備えられているので、上流側では、帯体の姿勢が一定の姿勢とされるようになり、帯体と新たに貼付されようとしている物品との位置関係が一定する。したがって、物品を一定した姿勢で帯体に順次貼付することができる。一方、下流側では、貼付された物品の姿勢を揃えて排出することができる。
【００１８】
次に、請求項２に記載の発明によれば、前記姿勢規制手段は、前記他の物品の横方向の姿勢を規制する側面部を有するので、特に発生し易い物品の横方向の移動が規制される。その結果、上流側では、帯体の横方向の移動が規制され、下流側では、貼付された物品の横方向の姿勢が揃う。
【００１９】
また、請求項３に記載の発明によれば、前記姿勢規制手段は、貼付手段に連続させて備えられて、前記一の物品を受ける受け面を有するので、この物品の縦方向の姿勢が規制されることに加え、この物品の端部を貼付手段により略上下方向から帯体に貼付する場合に起こり得る物品の垂れ下がり、つまり端部の折れ曲りに起因する割れやピンホール等の損傷を未然に防止することができる。
【００２０】
また、請求項４に記載の発明によれば、前記受け面は、側面部を有するので、前記一の物品の横方向の移動が規制され、ひいては帯体の横方向の移動が規制され、物品が一定した姿勢で帯体に貼付されるのをさらに助勢する。
【００２１】
また、請求項５に記載の発明によれば、前記姿勢規制手段は、前記受け面の下流側に、前記他の物品を落し込む落し込み部を有するので、従来問題であった過度の物品の持ち上がりに起因した貼付ミスが効果的に防止される。
【００２２】
また、請求項６に記載の発明によれば、前記落し込み部は、受け面を有するので、前記他の物品は、この受け面で支持される。したがって、上流側では、帯体の姿勢は確実に規制され、下流側では、貼付された物品の姿勢は確実に揃うようになる。
【００２３】
そして、請求項７に記載の発明によれば、前記落し込み部は、受け面と側面部とガイド面とを有するので、前記他の物品は、効果的にセンタリングされる。その場合、特にガイド面を傾斜面あるいは湾曲面として設けることにより、物品の幅寸法に柔軟に対応してセンタリングすることができる。
【発明を実施するための最良の形態】
【００２４】
以下、本発明の実施の形態について説明する。
【００２５】
図１に示すように、本発明の実施の形態に係るストリップパック装置１は、本体ユニット２に、上流側装置から取り扱う物品として例えばスナック菓子等を充填した袋Ｘが供給される供給コンベア３と、この供給コンベア３で矢印ａ方向に供給された袋Ｘを矢印ｂで示すように本装置１の内部に導入する導入コンベア４と、この導入コンベア４の終端部を構成するドロップコンベア５と、テープに複数の袋Ｘ…Ｘが貼付されてなるストリップパックＳＰを下流側装置へ矢印ｃで示すように排出する排出コンベア６とを備えている。
【００２６】
また、このストリップパック装置１は、ドロップコンベア５の終端部より搬送方向ｂの前方側に配置されて、ドロップコンベア５により導入された袋Ｘの端部を引き込み、この端部の皺や折れ曲りを伸ばすブラシユニット７、同じくドロップコンベア５の終端部より搬送方向ｂの前方側に配置されて、ドロップコンベア５から受け渡された前記袋Ｘの端部を把持し、引込位置Ｐ１からドロップコンベア５の終端部より搬送方向ｂの前方側下方の貼付位置Ｐ２まで移動させる把持ユニット８、把持ユニット８により把持されて貼付位置Ｐ２まで移動された前記袋Ｘを前記端部でテープに貼付するための貼付ユニット９、及び前記テープをストリップパックＳＰの製造に同期して送るためのテープ送りユニット１０を有している。その場合、前記テープのロール１１は、本体ユニット２の上部に配設されている。
【００２７】
さらに、導入コンベア４の始端部には、供給コンベア３から落下する袋Ｘが本装置１外へ脱落するのを防止するための脱落防止部材１２が備えられている。そして、製造されたストリップパックＳＰを貼付ユニット９から排出コンベア６に中継するための下方に傾斜した受け台１３が備えられている。
【００２８】
図２（ａ）に示すように、本装置１に供給される袋Ｘは、スナック菓子等が充填された中空部Ｙと、上下２箇所の端部としてのシール部Ｚ，Ｚとを有している。また、図２（ｂ）に示すように、本装置１で製造されるストリップパックＳＰは、細長いテープＴに複数の袋Ｘ…Ｘがそれぞれ上側のシール部Ｚ…Ｚで整列状態に貼付されたものである。そして、テープＴの一端には、ストリップパックＳＰを係止して吊下げ状態で陳列するためのパンチ孔Ｔ１が形成されている。
【００２９】
図３に示すように、ブラシユニット７は、袋Ｘのシール部Ｚを引き込み、このシール部Ｚの皺や折れ曲りを伸ばすためのもので、モータで駆動される駆動プーリ７１と、この駆動プーリ７１の回転がタイミングベルト７２で伝達される従動プーリ７３と、この従動プーリ７３の回転がタイミングベルトで伝達される上側の軸プーリ７４と、この軸プーリ７４と一体回転する上側の回転軸７５と、この回転軸７５に取り付けられた上側ブラシ７６とを有し、前記従動プーリ７３、上側軸プーリ７４、上側回転軸７５及び上側ブラシ７６は上側支持部材７７に支持されている。
【００３０】
また、前記従動プーリ７３と一体回転する駆動ローラ７８が上側支持部材７７に支持されていると共に、退避用シリンダ７０の進退するロッドに連結された下方の下側支持部材７７に、前記駆動ローラ７８に当接することにより回転される従動ローラ７９と、この従動ローラ７９の回転がタイミングベルトで伝達される下側の軸プーリ７４と、この軸プーリ７４と一体回転する下側の回転軸７５と、この回転軸７５に取り付けられた下側ブラシ７６とが支持されている。
【００３１】
すなわち、ブラシユニット７は、袋Ｘのシール部Ｚに上下から接触した状態で矢印ｄ方向に回転する上側及び下側ブラシ７６，７６により、シール部Ｚを引き込んでしごく構成とされている。
【００３２】
また、ブラシ７６は、相対的に厚みの薄い円盤形状の分割ブラシが複数個所定の間隔をあけて回転軸７５上に並設された構造である。ブラシ７６は、例えば、海綿様のブラシや、線材を放射状に束ねたタワシ様のブラシのようなものが好ましく使用可能である。
【００３３】
そして、退避用シリンダ７０の作動により、ブラシユニット７の下側支持部材７７が矢印ｅ方向に退避すると、下側ブラシ７６も矢印ｅ方向に退避する。これにより、上下のブラシ７６，７６の回転によりシール部Ｚが引き込まれていた袋Ｘは、ブラシユニット７による引込位置Ｐ１から貼付ユニット９による貼付位置Ｐ２に向けて、斜め下方に円滑に移動することができる。
【００３４】
図４に示すように、始端部を支点にして矢印ｆ方向に揺動するドロップコンベア５の終端部より搬送方向ｂの前方側に、かつ、前記ブラシユニット７の両側方に、左右一対の把持ユニット８，８（一方のみ図示）が配置されている。この把持ユニット８は、上下一対のグリップフィンガ８１，８１により袋Ｘの搬送方向前方側のシール部Ｚを、搬送方向ｂの前方側から上下に把持し、この袋Ｘを、ブラシユニット７による引込位置Ｐ１から貼付ユニット９による貼付位置Ｐ２まで、矢印ｇで示すように斜め下方に移動させる構成のものである。前記グリップフィンガ８１，８１は、ハンド８２に搭載されており、また、ハンド８２は、前後位置が調整可能にアーム８３に取り付けられている。そして、アーム８３は、矢印ｇ方向に移動可能に傾斜したガイドレール８４に備えられている。
【００３５】
図５に示すように、本体ユニット２に組み付けられた貼付ユニット９は、テープＴと袋Ｘとを溶着する熱源であるヒータ９１と、このヒータ９１との間でテープＴと袋Ｘとを挟み付けるクランプ９２と、このクランプ９２を上下動させるためのエアシリンダ９３と、テープＴに適宜パンチ孔Ｔ１やミシン目を入れるためのパンチ・カッタユニット９４と、上動することによりテープＴをヒータ９１から浮かせてテープＴの溶解を防ぐための溶解防止部材９５と、この溶解防止部材９５を上下動させるためのエアシリンダ９６とを有している。
【００３６】
そして、図６〜８に示すように、下方に傾斜する受け台１３は、把持ユニット８により矢印ｇ方向に移動された袋ＸがテープＴに貼付されてなるストリップパックＳＰを矢印ｉ方向に排出して、排出コンベア６に中継するものである。
【００３７】
この受け台１３は、比較的薄肉の金属板を折曲加工等により略シュート状に成形したもので、上流側に設けられて、テープＴに貼付された袋Ｘを受ける第１受け面１３１と、この第１受け面１３１の下流側に設けられて、前記袋Ｘより先にテープＴに貼付された袋Ｘ，Ｘを受ける第２受け面１３２とを有している。その場合、第２受け面１３２は、その傾斜が第１受け面１３１より若干大きく設定されており、かつ、段差部１３３を介して第１受け面１３１より落し込まれている。このように第２受け面１３２の傾斜を大きくすることにより、先にテープＴに貼付された袋Ｘ，Ｘは、スムーズに滑落して排出コンベア６に受け渡されるようになる。そして、下方に傾斜する第１受け面１３１の前縁部から略水平方向に、テープＴに貼付された袋Ｘの導入を容易にするための舌状の導入片１３１ａが延設されている。
【００３８】
また、両受け面１３１，１３２の左右両端部からそれぞれ側面部１３４，１３４が起立しており、各側面部１３４には、その上縁部から斜め外方に折曲されて、上方からの袋Ｘの導入を容易にするための導入片１３４ａ，１３４ｂが設けられている。そして、第２受け面１３２と両側面部１３４，１３４との間に、第２受け面１３２に向かって傾斜するガイド面１３５，１３５が設けられている。その場合、ガイド面１３５は、下流側になるほど幅広となるように設けられている。一方、これに呼応して、第２受け面１３２は、下流側になるほど幅寸法が狭くなっている。したがって、先にテープTに貼付された袋Ｘ，Ｘは、テープＴの送りに同期して下流側に移動するにつれてガイド面１３５，１３５との接触面積が増え、その結果、次第に第２受け面１３２の中央部に寄せられるようになる。なお、第２受け面１３２と側面部１３４，１３４とガイド面１３５，１３５とは、貼付された袋Ｘより先にテープＴに貼付された袋Ｘ，Ｘを落し込む落し込み部Ｄを構成する。
【００３９】
そして、両受け面１３１，１３２の裏面に跨って取付部材１３６が固設されており、受け台１３は、この取付部材１３６の左右両側縁部から延設された連結片１３６ａ，１３６ａを介して、本体ユニット２に備えられた支持台１３７に支持されている。
【００４０】
なお、図例では、把持ユニット８により貼付位置Ｐ２に移動されてテープＴに貼付された袋Ｘは、概ね第１受け面１３１により支持されている。また、この袋Ｘより先にテープＴに貼付された袋Ｘ，Ｘのうちの後側の袋Ｘは、第１受け面１３１による支持から解放されて滑落して、落し込み部Ｄに落し込まれている。そして、前側の袋Ｘは、第２受け面１３２による支持から解放されて滑落して、排出コンベア６に乗り移ろうとしている。
【００４１】
以上のように構成したことにより、まず、貼付ユニット９の下流側に、貼付された袋Ｘより先にテープＴに貼付された袋Ｘ，Ｘの姿勢を規制する受け台１３が備えられているので、上流側では、テープＴの姿勢が一定の姿勢とされるようになり、テープＴと新たに貼付されようとしている袋Ｘとの位置関係が一定する。したがって、袋Ｘを一定した姿勢でテープＴに順次貼付することができる。一方、下流側では、貼付された袋Ｘ，Ｘの姿勢を揃えて排出することができる。
【００４２】
次に、前記受け台１３は、貼付された袋Ｘより先にテープＴに貼付された袋Ｘ，Ｘの横方向の姿勢を規制する側面部１３４，１３４を有するので、特に発生し易い袋Ｘの横方向の移動が規制される。その結果、上流側では、テープＴの横方向の移動が規制され、下流側では、貼付された袋Ｘ，Ｘの横方向の姿勢が揃う。
【００４３】
また、前記受け台１３は、貼付ユニット９に連続させて備えられて、貼付された袋Ｘを受ける第１受け面１３１を有するので、この袋Ｘの縦方向の姿勢が規制されることに加え、この袋Ｘのシール部Ｚを貼付ユニット９により略上下方向からテープＴに貼付する場合に起こり得る袋Ｘの垂れ下がり、つまりシール部Ｚの折れ曲りに起因する割れやピンホール等の損傷を未然に防止することができる。
【００４４】
例えば図９に示すように、先にテープＴに貼付された袋Ｘ２，Ｘ３に後続して、把持ユニット８のグリップフィンガ８１，８１によりシール部Ｚが把持された袋Ｘ１が、貼付ユニット９による貼付位置Ｐ２に移動され、テープＴに貼付される。その場合、前記袋Ｘ１は、受け台１３の第１受け面１３１ないし導入片１３１ａにより支持されるので、グリップフィンガ８１，８１に把持されたシール部Ｚの折れ曲りが抑制されるようになる。
【００４５】
また、前記第１受け面１３１は、側面部１３４，１３４を有するので、先に貼付された袋Ｘ，Ｘより後にテープＴに貼付された袋Ｘの横方向の移動が規制され、ひいてはテープＴの横方向の移動が規制され、袋Ｘが一定した姿勢でテープＴに貼付されるのをさらに助勢する。
【００４６】
また、前記受け台１３は、前記第１受け面１３１の下流側に、貼付された袋Ｘより先にテープＴに貼付された袋Ｘ，Ｘを落し込む落し込み部Ｄを有するので、従来問題であった過度の袋Ｘの持ち上がりに起因した貼付ミスが効果的に防止される。
【００４７】
例えば図１０に示すように、この場合には、前記袋Ｘと異なり、膨らみ方の大きい袋Ｘ１′〜Ｘ４′がテープＴに貼付される構成とされている。図例では、把持ユニット８によって貼付ユニット９による貼付位置Ｐ２に移動された袋Ｘ１′がテープＴに貼付されようとしており、かつ、受け台１３の第１受け面１３１の始端部ないし導入片１３１ａに支持されている。一方、先にテープＴに貼付された袋Ｘ２′は、第１受け面１３１終端部近傍に支持されており、また、袋Ｘ３′は、落し込み部Ｄに落し込まれており、そして、袋Ｘ４′は、第２受け面１３２の終端部近傍に支持されている。
【００４８】
このように、落し込み部Ｄが設けられたことにより、膨らみ方が大きいことに起因して持ち上がり現象の顕著な袋Ｘ１′〜Ｘ４′においても、先に貼付された袋Ｘ２′〜Ｘ４′による袋Ｘ１′の持ち上がりが抑制されるので、この袋Ｘ１′は、邪魔されることなく貼付ユニット９に対して適正に位置決めされるようになる。
【００４９】
また、前記落し込み部Ｄは、第２受け面１３２を有するので、貼付された袋Ｘより先にテープＴに貼付された袋Ｘ，Ｘは、この第２受け面１３２で支持される。したがって、上流側では、テープＴの姿勢は確実に規制され、下流側では、貼付された袋Ｘ，Ｘの姿勢は確実に揃うようになる。
【００５０】
そして、前記落し込み部Ｄは、第２受け面１３２と側面部１３４，１３４とガイド面１３５，１３５とを有するので、貼付された袋Ｘより先にテープＴに貼付され、第２受け面１３２に支持された袋Ｘ，Ｘは、効果的にセンタリングされる。その場合、特にガイド面１３５，１３５を傾斜面あるいは湾曲面として設けることにより、袋Ｘの幅寸法に柔軟に対応してセンタリングすることができる。
【００５１】
次に、受け台の変形例について説明する。なお、前述した実施の形態と共通する構成要素については、同じ符号を用いることにする。
【００５２】
図１１に示すように、この場合の受け台１３′は、支持台１３７の上端部に支持された始端部を支点にして終端部が矢印ｊ方向に揺動可能に構成されている。すなわち、受け台１３′の取付部材１３６の第１連結片１３６ａは、支持台１３７の上端部に揺動自在に連結されている。また、取付部材１３６の第２受け面１３２側に第２連結片１３６ｂが延設されており、この第２連結片１３６ｂに、基端部が支持台１３７に支持されたエアシリンダ１３８の進退するロッドの先端部が連結されている。
【００５３】
これによれば、エアシリンダ１３８の作動によりロッドを進出させて、第１受け面１３１を略水平状態とすることができる。したがって、この場合には、把持ユニット８により移動されてテープＴに貼付された袋Ｘ１は、第１受け面１３１により略水平状態で支持されるので、袋Ｘ１のシール部Ｚが過度に折れ曲るのが抑制される。その結果、前述したシール部Ｚの割れやピンホールの発生が一層防止されるようになる。
【００５４】
次いで、細い二点鎖線で示すように、エアシリンダ１３８の作動によりロッドを退避させて、受け台１３′を、第１受け面１３１が傾斜状態となるように、第１連結片１３６ａを支点にして矢印ｊ方向に揺動させることができる。したがって、この場合には、テープＴに貼付された前記袋Ｘ１は、この第１受け面１３１をスムーズに滑落して、第２受け面１３２に向かい、そして、先にテープＴに貼付された袋Ｘ２，Ｘ３と共に第２受け面１３２を滑落し、排出コンベア６に受け渡されることになる。
【００５５】
なお、本発明は、具体的に詳述した前記実施の形態に限定されず、本発明の趣旨に沿うものであればよい。
【００５６】
例えば、前記実施の形態では、落し込み部Ｄに設けられたガイド面１３５は、傾斜面で構成されていたが、湾曲面としてもよい。なお、供給される袋Ｘの幅寸法に変動がなければ、ガイド面１３５を省略してもよい。
【００５７】
また、前記実施の形態では、落し込み部Ｄは第２受け面１３２を有していたが、貼付された袋Ｘより先にテープＴに貼付された袋Ｘ，Ｘがねじれなければ、あるいはその重量が軽量であれば、側面部１３４，１３４さらにはガイド面１３５，１３５を残し、この第２受け面１３２を省略してもよい。
【００５８】
また、第２受け面を、一方の側面部方向に傾斜させてもよい。これによれば、幅方向の傾斜を介して袋Ｘを当該側面部側に寄せて、この側面部で袋Ｘの姿勢を規制することができるので、この場合にも、袋Ｘの幅寸法に柔軟に対応して、袋Ｘの姿勢を確実に規制可能な受け台が得られる。
【産業上の利用可能性】
【００５９】
以上説明したように、本発明によれば、物品を一定した姿勢で帯体に順次貼付することができ、かつ、貼付された物品の姿勢を揃えて排出することができるストリップパック装置が提供される。さらに、物品の帯体への貼付ミスを防止することができる。すなわち、本発明は、物品包装機械の技術分野に広く好適である。
【図面の簡単な説明】
【００６０】
【図１】本発明の実施の形態に係るストリップパック装置の側面図である。
【図２】（ａ）はストリップパック装置に供給される袋の平面図であり、（ｂ）はストリップパック装置により製造されるストリップパックの平面図である。
【図３】ブラシユニットの側面図である。
【図４】把持ユニット、及び引込位置と貼付位置との位置関係を示す側面図である。
【図５】貼付ユニットの側面図である。
【図６】受け台の側断面図である。
【図７】同じく平面図である。
【図８】図６のＩ−Ｉ線による拡大断面図である。
【図９】第１受け面の作用を説明するための要部断面図である。
【図１０】落し込み部の作用を説明するための要部断面図である。
【図１１】受け台の変形例を示す側面図である。
【符号の説明】
【００６１】
１        ストリップパック装置
９        貼付ユニット（貼付手段）
１３，１３′    受け台（姿勢規制手段）
１３１    第１受け面（貼付手段に連続させて設けられ、貼付された一の物品を受ける受け面）
１３２    第２受け面（貼付された一の物品より先に帯体に貼付された他の物品を受ける受け面、落し込み部の受け面）
１３４    側面部
１３５    ガイド面
Ｄ        落し込み部
Ｔ        テープ（帯体）
Ｘ，Ｘ１〜Ｘ３，Ｘ１′〜Ｘ４′    袋（物品）
【図１】
2009096497.tif 000003
【図２】
2009096497.tif 000004
【図３】
2009096497.tif 000005
【図４】
2009096497.tif 000006
【図５】
2009096497.tif 000007
【図６】
2009096497.tif 000008
【図７】
2009096497.tif 000009
【図８】
2009096497.tif 000010
【図９】
2009096497.tif 000011
【図１０】
2009096497.tif 000012
【図１１】
2009096497.tif 000013